(57)【要約】      （修正有）【課題】治験薬データベース等の化合物情報データベースに掲載されている情報から、化合物を製造可能な中間体に関する構造や該中間体から製造可能な化合物がどれくらいあるか等の情報を得る方法を提供すること。【解決手段】入力された構造情報に基づき、親化合物番号と親化合物の結合情報が対応付けて格納された親化合物情報ファイルを作成し、前記親化合物情報ファイルの親化合物の結合情報に基づき、前記中間体の結合情報および製造経路情報が前記親化合物番号に対応付けて格納された中間体情報ファイルを作成し、作成された中間体情報ファイルの中間体の結合情報を比較し、中間体の結合情報が同一である中間体番号を抽出する抽出手段と、抽出された中間体番号と、対応する親化合物番号もしくは対応する親化合物番号の個数が対応付けられたリストを作成し表示する表示手段とを備えてなることを特徴とする化合物情報の処理システム。【選択図】図２
2005157423.tif 000002
【特許請求の範囲】
【請求項１】
親化合物の構造情報を入力する入力手段と、
入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、
前記親化合物情報ファイルの親化合物の結合情報に基づき、前記親化合物を製造可能な中間体の結合情報および製造経路情報を、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、
作成された中間体情報ファイルの中間体の結合情報を比較し、中間体の結合情報が同一である中間体番号を抽出する抽出手段と、
抽出された中間体番号と、対応する親化合物番号もしくは対応する親化合物番号の個数が対応付けられたリストを作成するリスト作成手段と、
前記リストを表示する表示手段とを備えてなることを特徴とする化合物情報の処理システム。
【請求項２】
中間体情報作成手段が、親化合物の結合情報に基づき、親化合物の部分構造を認識し、該部分構造の構築に適用可能な反応ルールを反応ルール情報から検索し、反応ルールに従い、中間体の結合情報を作成する中間体情報作成手段である請求項１に記載の化合物情報の処理システム。
【請求項３】
親化合物の構造情報を入力するステップと、
入力された親化合物に番号を付与するとともに、入力された構造情報に基づき、前記親化合物の結合情報を前記親化合物番号と対応付けて作成するステップと、
前記親化合物の結合情報に基づき、前記親化合物を製造可能な中間体の結合情報および製造経路情報を、前記中間体に番号を付与するとともに、前記親化合物番号に対応付けて作成するステップと、
前記中間体の結合情報を比較し、中間体の結合情報が同一である中間体番号を抽出するステップと、
抽出された中間体番号と、抽出された中間体番号に対応する親化合物番号もしくは前記親化合物番号の個数が対応付けられたリストを作成するステップとを含むことを特徴とする化合物情報の処理方法。
【請求項４】
コンピュータを、
親化合物の構造情報を入力する入力手段と、
入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、
前記親化合物情報ファイルの親化合物の結合情報に基づき、前記親化合物を製造可能な中間体の結合情報および製造経路情報を、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、
作成された中間体情報ファイルの中間体の結合情報を比較し、中間体の結合情報が同一である中間体番号を抽出する抽出手段と、
抽出された中間体番号と、対応する親化合物番号もしくは対応する親化合物番号の個数が対応付けられたリストを作成するリスト作成手段と、
前記リストを表示する表示手段として機能させるための化合物情報の処理プログラム。
【発明の詳細な説明】
【技術分野】
【０００１】
本発明は、化合物情報の処理方法、処理システムおよび処理プログラムに関する。
【背景技術】
【０００２】
近年製薬企業においては、開発医薬品の中間体の製造を外部の化学企業等へ委託するケースが増加している。かかる開発医薬品の中間体製造ビジネスにおいては、製薬企業からの委託という形態が主体ではあるが、中間体を製造可能な企業から、製薬企業に対して、前記中間体の製造を提案するという形態を取ることもあり得る。いずれの形態であっても、中間体を製造するに要するコストや対応のスピード等が重要であるのはもちろんであるが、後者の中間体の製造を提案するという形態においては、どのような中間体を提案するか、どのような中間体を標的化合物とするか、という点も重要であった。特に、中間体を製造する企業にとっては、種々の開発医薬品に誘導が可能な共通の中間体を標的化合物とすることにより、より多くのビジネスチャンスを得ることができ、また当該ビジネスの拡大へつながることが考えられた。
【０００３】
一方で、開発医薬品自体の情報は、例えばＰｈａｒｍａＳｔｒｕｃｔｕｒｅｓ等の市販の種々の治験薬データベースにほぼ網羅的に掲載されているため、前記データベースを検索することにより、開発医薬品の数自体は膨大であるものの、その構造は把握できるようになっている。しかしながら、その中間体についての情報は前記データベースに掲載されている場合が少なく、前記データベースを検索するだけでは、中間体をピックアップすることすら難しいという状況であり、これらデータベースに掲載されている多くの開発医薬品の情報を活用して、その中間体に関する情報を得ることは知られていなかった。
【発明の開示】
【発明が解決しようとする課題】
【０００４】
このような状況のもと、本発明者らは、治験薬データベース等の化合物情報データベースに掲載されている情報から、化合物を製造可能な中間体に関する構造や該中間体から製造可能な化合物がどれくらいあるか等の情報を得る方法について鋭意検討したところ、親化合物の構造情報を入力する入力手段と、入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、前記親化合物情報ファイルの親化合物の結合情報に基づき、前記親化合物を製造可能な中間体の結合情報および製造経路情報を、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、作成された中間体情報ファイルの中間体の結合情報を比較し、中間体の結合情報が同一である中間体番号を抽出する抽出手段と、抽出された中間体番号と、対応する親化合物番号もしくは対応する親化合物番号の個数が対応付けられたリストを作成するリスト作成手段と、前記リストを表示する表示手段とを備えてなることを特徴とする化合物情報処理システムにより、膨大な化合物情報から容易にその中間体に関する情報を得ることができることを見出し、本発明に至った。
【課題を解決するための手段】
【０００５】
すなわち本発明は、親化合物の構造情報を入力する入力手段と、入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、前記親化合物情報ファイルの親化合物の結合情報に基づき、前記親化合物を製造可能な中間体の結合情報および製造経路情報を、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、作成された中間体情報ファイルの中間体の結合情報を比較し、中間体の結合情報が同一である中間体番号を抽出する抽出手段と、抽出された中間体番号と、対応する親化合物番号もしくは対応する親化合物番号の個数が対応付けられたリストを作成するリスト作成手段と、前記リストを表示する表示手段とを備えてなることを特徴とする化合物情報処理システム、処理方法および処理プログラムを提供するものである。
【発明の効果】
【０００６】
本発明によれば、膨大な化合物情報から、その合成中間体に関する情報を容易に得ることができ、有用で、多くの開発医薬品に誘導可能な中間体を見出すことができるため、例えば開発医薬品の中間体製造ビジネスにおいて、より有利となり得る。
【発明を実施するための最良の形態】
【０００７】
本発明の化合物情報の処理システムは、親化合物の構造情報を入力する入力手段と、入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、前記親化合物情報ファイルの結合情報および記憶手段に記憶された反応ルール情報に基づき、前記親化合物を製造可能な中間体の結合情報および製造経路情報を作成し、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、作成された中間体情報ファイルの中間体の結合情報を比較し、中間体の結合情報が同一である中間体番号を抽出する抽出手段と、抽出された中間体番号と、抽出された中間体番号に対応する親化合物番号もしくは前記親化合物番号の個数が対応付けられたリストを作成するリスト作成手段と、前記リストを表示する表示手段とを備えてなる化合物情報の処理システムであり、その一例の構成を機能的に示した図を図１に示した。
【０００８】
また、本発明の化合物情報の処理方法は、親化合物の構造情報を入力するステップ（以下、ステップ（ｉ）と略記する。）と、入力された親化合物に番号を付与するとともに、入力された構造情報に基づき、前記親化合物の結合情報を前記親化合物番号と対応付けて作成するステップ（以下、ステップ（ｉｉ）と略記する。）と、前記親化合物の結合情報に基づき、前記親化合物を製造可能な中間体の結合情報および製造経路情報を、前記中間体に番号を付与するとともに、前記親化合物番号に対応付けて作成するステップ（以下、ステップ（ｉｉｉ）と略記する。）と、前記中間体の結合情報を比較し、中間体の結合情報が同一である中間体番号を抽出するステップ（以下、ステップ（ｉｖ）と略記する。）と、抽出された中間体番号と、抽出された中間体番号に対応する親化合物番号もしくは前記親化合物番号の個数が対応付けられたリストを作成するステップ（以下、ステップ（ｖ）と略記する。）とを含むことを特徴とする化合物情報の処理方法であり、そのフロー図を図２に示した。
【０００９】
また、本発明の化学情報の処理プログラムは、コンピュータを、親化合物の構造情報を入力する入力手段と、入力された親化合物に番号を付与するとともに、入力された構造情報に基づき、前記親化合物の結合情報を作成し、前記親化合物番号と前記親化合物の結合情報が対応付けて格納された親化合物情報ファイルを作成し、前記親化合物情報ファイルを記憶手段に記憶する親化合物結合情報作成手段と、前記親化合物情報ファイルの親化合物の結合情報に基づき、前記親化合物を製造可能な中間体の結合情報および製造経路情報を、前記中間体に番号を付与するとともに、前記中間体の結合情報および製造経路情報が前記親化合物番号に対応付けて格納された中間体情報ファイルを作成し、前記中間体情報ファイルを記憶手段に記憶する中間体情報作成手段と、作成された中間体情報ファイルの中間体の結合情報を比較し、中間体の結合情報が同一である中間体番号を抽出する抽出手段と、抽出された中間体番号と、対応する親化合物番号もしくは対応する親化合物番号の個数が対応付けられたリストを作成するリスト作成手段と、前記リストを表示する表示手段として機能させるための化合物情報の処理プログラムである。
【００１０】
以下、本発明について、図面を参照しながら説明する。まず、前記ステップ（ｉ）では、親化合物の構造情報が入力手段１により、入力される（図２  Ｓ１）。入力された親化合物の構造情報は、記憶手段７に記憶される。かかる入力手段１としては、親化合物の構造情報が入力可能なものであればよく、例えばマウス、キーボード等が挙げられる。また、市販の構造式描画ソフト等を介して構造情報を入力するようにしてもよい。親化合物の構造情報としては、例えばＰｈａｒｍａＳｔｒｕｃｔｕｒｅｓ、ＣＩＰＳＬＩＮＥ、ＰＩＯＮＥＥＲ、明日の新薬等の市販の治験薬データベース等に掲載されている化合物の構造情報が挙げられる。親化合物の構造情報の一例を示した。図３は、親化合物として、（Ｒ）−サルブタモールを入力した場合の構造情報である。
【００１１】
全ての親化合物の構造情報の入力が終われば、次ステップ（ｉｉ）に進む。
【００１２】
ステップ（ｉｉ）では、親化合物結合情報作成手段２により、前記ステップ（ｉ）で入力された親化合物に番号が付与され、入力された親化合物の構造情報に基づき、前記親化合物の結合情報が作成され、前記親化合物番号と前記親化合物の結合情報が対応付けて格納された親化合物情報ファイルが作成され、作成された親化合物情報ファイルが記憶手段７に記憶される（図２  Ｓ２）。
【００１３】
親化合物の結合情報としては、親化合物を構成する原子種、結合次数、立体構造情報等が挙げられ、その形式は、結合情報が示されておれば特に制限されない。例えばＪ．Ｃｈｅｍ．Ｉｎｆ．Ｃｏｍｐｕｔ．Ｓｃｉ．，３２，２４５（１９９２）等に記載された形式等が挙げられる。親化合物情報ファイルの一例を、図４に示した。図４は、図３で入力された親化合物である（Ｒ）−サルブタモールの構造情報に基づき、親化合物番号（Ｔ１）が付与され、その結合情報が作成された親化合物情報ファイルであり、Ｊ．Ｃｈｅｍ．Ｉｎｆ．Ｃｏｍｐｕｔ．Ｓｃｉ．，３２，２４５（１９９２）に記載された形式に準じている。１行目が親化合物番号を示し、２行目が、親化合物を構成する水素原子以外の原子の数、水素原子以外の原子間の結合の数等を示している。３〜１９行目が、親化合物を構成する水素以外の原子についての情報が示されており、各原子の座標（Ｘ，Ｙ，Ｚ）、原子種、立体情報、電荷情報、同位体情報等からなっている。例えば３行目は、Ｘ座標が３．３００８で、Ｙ座標が−１０．４４７９で、Ｚ座標が０で、原子種はＣ、すなわち炭素であることが示されている。２０〜３６行目は、親化合物を構成する水素原子以外の原子に、番号を付与し、各原子間の結合次数、立体情報等が示されている。番号は、各原子に任意に付与されるものであり、ここでは、図３に付与された番号を併記しておいた。図４において、例えば２０行目は、「１  ２  ２  ０  ０  ０  ０」となっているが、行頭の「１」は、１番の原子、２番目の「２」は、２番の原子、３番目の「２」は結合次数が２、すなわち二重結合を示し、１番の原子と２番の原子が二重結合で結合していることを表わす。また、例えば３６行目は、「１０  １７  １  ６  ０  ０  ０」となっているが、これは、１０番の原子と１７番の原子が単結合で結合しており、その結合が、平面より下方に伸びていることを表わしている。
【００１４】
このようにして、全ての親化合物について、親化合物情報ファイルが作成されれば（図１  Ｓ３）、次ステップ（ｉｉｉ）に進む。
【００１５】
ステップ（ｉｉｉ）では、中間体情報作成手段３により、前記ステップ（ｉｉ）で作成された親化合物情報ファイルの親化合物結合情報と記憶手段７に記憶されている反応ルール情報に基づき、前記親化合物を製造可能な中間体の結合情報および製造経路情報が作成され、前記中間体に番号が付与されるとともに、前記中間体の結合情報および製造経路情報が前記親化合物番号に対応付けて格納された中間体情報ファイルが作成され、作成された中間体情報ファイルが記憶手段７に記憶される（図２  Ｓ４）。
【００１６】
中間体情報作成手段３は、入力された化合物について、段階的にその合成中間体を探索、作成し、探索の終了条件に合致した中間体に達した時点で、探索結果を出力する合成反応設計システムであればよく、例えばＣｏｒｅｙらによるＬＨＡＳＡ（Ｊ．Ａｍ．Ｃｈｅｍ．Ｓｏｃ．，９４，４４０（１９７２））、ＨｅｎｄｒｉｃｋｓｏｎらによるＳＹＮＧＥＮ（Ｊ．Ｃｈｅｍ．Ｉｎｆ．Ｃｏｍｐｕｔ．Ｓｃｉ．，２９，１３７（１９８９））、ＧｅｌｅｒｎｔｅｒらによるＳＹＮＣＨＥＭ２（Ｊ．Ｃｈｅｍ．Ｉｎｆ．Ｃｏｍｐｕｔ．Ｓｃｉ．，３４，４６３（１９９４））、ＧａｓｔｅｉｇｅｒらによるＷＯＤＣＡ（Ａｎｇｅｗ．Ｃｈｅｍ．，Ｉｎｔ．Ｅｄ．Ｅｎｇｌ．，３４，２６１３（１９９５））、ＢｅｒｓｏｈｎらによるＳＹＮＳＵＰ（Ｊ．Ｃｈｅｍ．Ｉｎｆ．Ｃｏｍｐｕｔ．Ｓｃｉ．，３０，４３６（１９９０））、ＦｕｎａｔｓｕらによるＡＩＰＨＯＳ（Ｔｅｔｒａｈｅｄｒｏｎ  Ｃｏｍｐｕｔ．Ｍｅｔｈｏｄ．，１，２７（１９８８））等が挙げられる。
【００１７】
以下、ＳＹＮＳＵＰを例にとり、図５に示したフロー図を参照しながら、ステップ（ｉｉｉ）について詳細に説明する。
【００１８】
中間体情報作成手段３は、前記入力手段１により入力された親化合物について、記憶手段７に記憶された反応ルール情報をもとにその中間体の結合情報を作成するものであるが、通常その終了条件も入力手段１により入力される。中間体の結合情報の作成を終了する条件としては、例えば親化合物を合成するまでの合成経路のステップ数が所定のステップ数に達したか否か、最終中間体が市販化合物であるか否か等目的等に応じ適宜決定すればよい。
【００１９】
中間体情報作成手段３により、まず、前記親化合物情報作成手段２により作成された親化合物情報ファイル中の親化合物の結合情報を読込み（図５  Ｓ４１）、親化合物の部分構造の認識が行われる（図５  Ｓ４２）。部分構造としては、親化合物の構造の特徴である環構造や官能基等であって、前記反応ルール情報が適用できる構造であればよい。続いて、前記反応ルール情報に基づき、前記部分構造について反応ルールの検索が行われ（図５  Ｓ４３）、中間体の結合情報が作成される。反応ルール情報は、部分構造を中間体構造に変換するための部分構造の情報、中間体の構造を導くために切断あるいは再結合させる結合や原子、脱離基を付与する結合や原子等の情報からなっており、また、かかる情報が記載された文献名や該文献記載の反応条件等の情報等が含まれていることもある。
【００２０】
検索された反応ルールが適当であるか、副反応が起きないか、反応性が適当であるか等チェックがなされ（図５  Ｓ４４）、反応ルールが妥当であれば、該反応ルールに基づき、中間体の結合情報が作成される（図５  Ｓ４５）。作成された中間体の結合情報が、前記終了条件に合致しておれば親化合物の製造経路の探索を終了し、前記終了条件に合致していない場合は、作成された中間体の結合情報について、さらに部分構造の認識が行われ、反応ルールの検索および中間体の結合情報作成のループが実行される（図５  Ｓ４６）。
【００２１】
このようにして、前記親化合物を製造可能な中間体の結合情報および製造経路情報が作成されると、前記中間体に番号が付与され、前記中間体の結合情報および製造経路情報が前記親化合物番号に対応付けて格納された中間体情報ファイルが作成され、作成された中間体情報ファイルが記憶手段７に記憶される（図２  Ｓ４）。なお、一つの親化合物について、作成した中間体全てに異なる番号を付与してもよいが、同一の中間体を経由する複数の製造経路が作成される場合も多いため、同一の中間体には、同一の番号を付与することが好ましい。
【００２２】
全ての親化合物情報ファイル中の親化合物について、中間体情報ファイルが作成されれば、次ステップ（ｉｖ）に進む。中間体情報ファイルの一例を図６に示す。図６には、図３で示した親化合物（Ｒ）−サルブタモールについて、作成された中間体情報ファイルの一部である。図６には、中間体として、３化合物の情報が示されているが、それぞれ親化合物情報ファイルと同様の形式であり、各中間体の中間体番号、原子数、結合数、原子種、結合次数等が示されている。ここでは中間体番号として、Ｔ１−Ｍ１、Ｔ１−Ｍ２等が付与されている。また、便宜上製造経路情報は割愛し、各中間体の構造を併記しておいた。また、図８に、親化合物番号Ｔ１〜Ｔｎについて、作成された中間体情報ファイルを模式的に示した図を示す。
【００２３】
続いて、ステップ（ｉｖ）では、抽出手段４により、記憶手段７に記憶された全ての中間体情報ファイルの中間体の結合情報が比較され、中間体の結合情報が同一である中間体番号が抽出される（図２  Ｓ５）。図７に本ステップ（ｉｖ）および次ステップ（ｖ）のフロー図を示した。
【００２４】
記憶手段７に記憶された中間体情報ファイルの中から、互いに比較していない任意の二つの中間体情報ファイルが選択され（図７  Ｓ５１）、互いに比較していない任意の二つの中間体情報ファイルに格納されているそれぞれの中間体の結合情報が比較される（図７  Ｓ５２）。同一の中間体の結合情報が存在すれば（図７  Ｓ５３）、それぞれの中間体結合情報に対応するそれぞれの中間体番号が抽出され、さらに抽出されたそれぞれの中間体番号に対応する親化合物番号が抽出される（図７  Ｓ５４）。
【００２５】
中間体の結合情報が同一である中間体番号と対応する親化合物番号が抽出されれば、次ステップ（ｖ）において、リスト作成手段５により、抽出された中間体番号と、抽出された中間体番号に対応する親化合物番号もしくは前記親化合物番号の個数が対応付けられたリストが作成される（図２  Ｓ６および図７  Ｓ５６）。作成されるリストは、抽出された中間体番号と対応する親化合物番号が対応付けられたリストもしくは対応する親化合物番号の個数を計数し、その計数結果と抽出された中間体番号が対応付けられたリストであればよく、中間体の結合情報、親化合物の結合情報、親化合物の構造情報、製造経路情報等を含んでいてもよい。
【００２６】
選択された二つの中間体情報ファイルの全ての中間体の結合情報の比較が終了すれば（図２  Ｓ７および図７  Ｓ５７）、互いに比較していない別の任意の二つの中間体情報ファイルが選択され、比較が実行される。
【００２７】
前記抽出された中間体番号と対応する親化合物番号が対応付けられたリストは、同一の中間体の結合情報を有する中間体番号と対応する親化合物番号が対応付けられたものであり、例えば同じ中間体の結合情報を有するものは、同じ行に、異なる中間体の結合情報を有するものは、異なる行にリスト化されるようなっている。したがって、同一の中間体の結合情報を有する中間体番号を抽出すると、その中間体の結合情報が、リストに既に存在しているかどうかが判断され、リストに既に存在している中間体と同一の中間体の結合情報であれば、同じ行に追加、異なる中間体の結合情報であれば、異なる行にリスト化するようなっている。作成されたリストは記憶手段７に記憶される。かかるリストの具体例を図９に示す。図９は、図８に示した親化合物（親化合物番号Ｔ１、Ｔ２、・・・Ｔｎ）について、作成された中間体情報ファイルから、同一の中間体の結合情報を有する中間体番号と対応する親化合物番号が対応付けられたリストの一例を示したものである。親化合物Ｔ１〜Ｔｎについて、作成された中間体情報ファイルのうち、例えば中間体番号Ｔ１−Ｍ２、Ｔ２−Ｍ４およびＴ５−Ｍ７が、同一の中間体の結合情報を有しており（リスト番号Ｃ１）、親化合物Ｔ１、Ｔ２およびＴ５を製造可能であることが分かる。また、中間体Ｔ３−Ｍ２とＴ８−Ｍ９が同一の中間体の結合情報を有しており（リスト番号Ｃ２）、親化合物Ｔ３およびＴ８を製造可能であることが分かる。親化合物の個数については、それぞれのリスト番号について、中間体の個数を計数することにより、例えば中間体Ｔ１−Ｍ２（あるいはＴ２−Ｍ４あるいはＴ５−Ｍ７）については、製造可能な親化合物が３個存在することが分かる。
【００２８】
このようにして、全ての中間体情報ファイルの比較が終了すれば（図７  Ｓ５８）、次ステップ（ｖｉ）に進む。
【００２９】
ステップ（ｖｉ）では、表示手段により、前記ステップ（ｖ）で作成されたリストが表示される。表示手段としては、前記親化合物番号の一覧表もしくは前記親化合物番号の個数が表示可能なものであればよく、例えばディスプレイ、プリンタ等が挙げられる。
【図面の簡単な説明】
【００３０】
【図１】本発明の化合物情報の処理システムの構成の一例を機能的に示した図である。
【図２】本発明の化合物情報の処理方法のフロー図である。
【図３】親化合物の構造情報の一例である。
【図４】図３に示した親化合物の構造情報に基づき、作成された親化合物情報ファイルの一例である。
【図５】ステップ（ｉｉｉ）のフロー図である。
【図６】図４に示した親化合物情報ファイルに基づき、作成された中間体情報ファイルの一例である。
【図７】ステップ（ｉｖ）および（ｖ）のフロー図である。
【図８】親化合物番号Ｔ１〜Ｔｎについて、作成された中間体情報ファイルを模式的に示した図である。
【図９】図８に示した中間体情報ファイルをもとに作成されたリストの一例である。
【符号の説明】
【００３１】
１    入力手段、２    親化合物情報作成手段、３    中間体情報作成手段、
４    抽出手段、５    リスト作成手段、６    表示手段、７    記憶手段
【図１】
2005157423.tif 000003
【図２】
2005157423.tif 000004
【図３】
2005157423.tif 000005
【図４】
2005157423.tif 000006
【図５】
2005157423.tif 000007
【図６】
2005157423.tif 000008
【図７】
2005157423.tif 000009
【図８】
2005157423.tif 000010
【図９】
2005157423.tif 000011